(57)【特許請求の範囲】
【請求項１】
図形および該図形の属性情報を保持する図形属性情報データベースと、
上記図形を画面上に表示する図形表示手段と、
上記表示された図形上の一点を指示する図形指示手段と、
上記図形指示手段で指示された上記図形の属性情報を上記図形属性情報データベースを検索して抽出する属性情報検索手段と、
上記抽出した上記指示された図形の属性情報を、上記指示された図形上の一点の位置に基づいて画面上に配置して表示する属性情報表示手段と、
を備えることを特徴とする図形属性情報表示装置。
【請求項２】
上記図形属性情報データベースは、さらに上記図形の位置および形状を示す座標情報を保持し、
上記属性情報検索手段は、上記座標情報に基づいて、上記指示された図形上の一点を含む図形を検出した上で、該検出された図形の属性情報を抽出する
ことを特徴とする請求項１記載の図形属性情報表示装置。
【発明の詳細な説明】
【０００１】
【発明の属する技術分野】
本発明は画面上の図形とその図形の持つ属性を合わせて表示する図形属性情報表示装置に関する。
【０００２】
【従来の技術】
例えば、土地の異動処理（分筆、合筆）に伴い土地の形状変更を行う地図の場合、属性情報として例えば所有者名などの表示位置を土地の形状の縦横に占める範囲の中心を自動計算して表示しているが、土地の形状によっては、土地から離れた位置に表示されたり、はみ出して表示されたり、道路や川のような広範囲にわたる土地の場合でも１ヵ所にしか表示されないという状態であった。
【０００３】
【発明が解決しようとする課題】
以上のような場合、表示された属性情報と土地との関連の認識が難しい場合があり、地図としての利用価値が損なわれているという問題がありその解決策が求められていた。
本発明はこのような点にかんがみて、属性情報を認識し易い位置に、必要な数だけ表示させることにより、図形と属性情報の関連の認識をしやすくし、地図などの図形を表示した図面の利用価値を高める手段を提供することを目的とする。
【０００４】
【課題を解決するための手段】
上記の課題は下記の如くに構成された図形属性情報表示装置によって解決される。
【０００５】
図１は、本発明の構成図である。
図において、１は図形および上記図形の属性情報を保持する図形属性情報データベースであり、２は上記図形を画面上に表示する図形表示手段、３は上記表示された図形上の一点を指示する図形指示手段、４は上記指示された図形の属性情報を上記図形属性情報データベースを検索して抽出する属性情報検索手段、５は上記検索して抽出した属性情報を上記指示された図形上の一点の位置に基づいて画面上に配置して表示する属性情報表示手段である。
【０００６】
【発明の実施の形態】
本実施の形態においては、パーソナルコンピュータ、ワークステーション等の汎用的な目的で使用される計算機上で実行するコンピュータプログラムにより実現する形態を示す。
【０００７】
本発明の図形属性情報表示装置は、処理装置、主記憶装置、補助記憶装置、入出力装置などから構成される計算機上で、コンピュータプログラムを実行して実現される。また、コンピュータプログラムは、フロッピーディスクやＣＤ−ＲＯＭ等の可搬型媒体やネットワーク接続された他の計算機の主記憶装置や補助記憶装置等に格納されて提供される。本発明の記録媒体は、上記可搬型媒体、主記憶装置、補助記憶装置に該当する。
【０００８】
提供されたコンピュータプログラムは、可搬型媒体から直接計算機の主記憶装置にロードされ、または、可搬型媒体から一旦補助記憶装置にコピーまたはインストール後に、主記憶装置にロードされて実行する。また、ネットワーク接続された他の装置に格納されて提供された場合も、他の装置からネットワークを経由して受信後に、補助記憶装置にコピー、主記憶装置にロードされ実行するものである。
【０００９】
本発明の実施の形態の構成図を図２に示す。２０は土地情報管理システムであって、地籍管理に関わる。土地の位置、形状による区分すなわち「筆」と呼ばれる土地の管理単位と、その土地の属性として、所有者、地目、面積などの土地に関わる情報を維持管理するものである。
【００１０】
土地の形状については、土地の境界を線分のつながりで記憶し、ディスプレイ装置や紙に土地の地図として表示する。土地の売買や相続などにおける所有関係の異動にともなう変更処理を行い常に権利関係を明確にしておく業務で使用される。
【００１１】
上記土地情報管理システム２０は土地属性情報テーブル２７と土地区画情報テーブル２６とからなる土地情報データベースと、データの入出力装置特に本発明に関わる区分された土地を表示するディスプレイ２８と、あらたに属性を表示させる土地区画を示すとともに表示位置を指示するポインタ２１とを備えるように構成する。
【００１２】
システムの制御はコンピュータのプログラムとして備えられて機能する４つの手段で実行される。利用者により画面上の地図を、ポインタ２１で指示されたとき指示された位置を検出する地点指示部２２と、指示された位置がどの区画の土地に属すのかを土地区画情報テーブル２６を検索する土地検索部２３と、検索された土地の区画の属性を土地属性情報テーブル２７を検索する属性検索部２４と検索された属性、例えばその土地の所有者名を指示された地図上の位置に対応するディスプレイ２８の画面上に表示する表示部２５とからなる。
【００１３】
図３に本発明の実施の形態の画面例を示す。二重線の枠で示す四角はディスプレイ２８の画面３０である。画面には所有者名がＡ、Ｂ、ＣとＥの４つの区分の土地が例示されている。画面上の所有者名の表示は本発明の実施の結果利用者の指定した位置に配置してある。
【００１４】
従来はこれらの表示位置は各土地の区画の占める縦横それぞれの範囲の中心に機械的に決めて表示していたので、例えば所有者Ａの土地の区画は実際には点線で示すように画面の外側にもつながっており、その中心位置である○印３３の位置に表示されていた。また、土地の区画を示す端点（筆界点という）が（ｆ）、（ｊ）、（ｍ）、（ｋ）、（ｈ）、（ｉ）で示される所有者名Ｃの土地については従来は○印３５の位置に表示されていた。これらのような表示位置では土地の所有者名の表示の認識ができないあるいは間違って認識される可能性があった。上記に例示したように土地の区画は複数の線分で囲んで示すようになっており線の接続点を括弧付英小文字で示している。
【００１５】
図４には土地情報データベースの構造説明図を示す。図４（ａ）の土地属性情報テーブル４１には上記した画面例に対応して字と地番を識別子とする土地ＩＤと所有者名、地目、土地の面積を記憶している。また、図４（ｂ）の土地区画情報テーブル４２には上記土地ＩＤに対応して土地の区画の位置、形状を記憶している。土地の区画は東西方向の位置をＸ座標、南北方向の位置をＹ座標として、連続した線分の各端点の座標を筆界点のリストとして表示するようにしている。
【００１６】
例えば、所有者Ｂについては、土地ＩＤは１０−３０−１０すなわち大字、小字、地番をＩＤとし、所有者名はＢ、面積１００平方メートルの宅地、位置は図３の（ｊ）、（ｇ）、（ｋ）、（ｍ）に対応した座標（Ｘｊ，Ｙｊ）、（Ｘｇ，Ｙｇ）、（Ｘｋ，Ｙｋ）、（Ｘｍ，Ｙｍ）であることを記憶している。
【００１７】
以上のような土地区画情報テーブル４２に保持されている土地の区画の情報を画面３０に表示し、利用者が指示した土地の区画の所有者名を土地属性情報テーブル４１から読みだして画面上の利用者が指示した位置に表示する動作の説明を図５の属性表示のフローチャートにしたがって説明する。
【００１８】
ステップＳ５１では、利用者は土地の区画の所有者名を見やすい位置に表示するようにマウスポインタ２１によって画面に表示されている地図上の上記区画の中の最適な表示点を指示してマウスのボタンを押す。地点指示部２２は上記画面上の指示された点の位置をＸＹ座標として土地検索部２３に渡す。
【００１９】
ステップＳ５２において、土地検索部２３は上記渡されたＸＹ座標を含む土地の区画のＩＤを土地区画情報テーブル４２を検索して得る。すなわち土地区画テーブル４２の筆界点リストにある複数の点によって囲まれた領域に指示されたＸＹ座標が含まれるか否かを各土地区画毎に調べて対応する土地ＩＤを探す。複数の点を結んだ閉領域にある点が含まれるか否かの判定はＣＡＤ、お絵かきソフトのほか画面を操作する装置において一般に実施されている。例えば、隣り合った２つの筆界点のＸ座標の間に上記指定された点のＸ座標を含む組み合わせについて、指定された点が上記２つの筆界点を結ぶ直線の上にある組み合わせの数が奇数であればその点は上記閉領域に含まれると判断することができる。
【００２０】
ステップＳ５３では、検出された土地ＩＤに対応して土地属性情報テーブル４１を検索し、表示するべき属性として土地の所有者名を得る。
ステップＳ５４においては土地区画上に上記ポインタで指示された点を中心とするように所有者名を表示する。
【００２１】
なお、所有者名の表示位置は指示された位置を中心とするほか、その位置を先頭として表示したり、あらかじめ定められた位置関係にして表示してもよい。
また、上記説明は画面上の表示位置について述べたが、印刷物としての表示位置についても同様に実現できるものである。
【００２２】
さらに、本発明は地図以外の図形についても各閉じられた区画の領域ごとにその属性を表示する場合にも適用できるものである。
閉曲線に囲まれた領域を塗りつぶす技術も公用されており、上記閉領域は曲線のつながりで構成していても指定した点がその閉領域に含まれるか否かの判定部分を置き換えることで同様に実現できる。
【００２３】
【発明の効果】
以上の説明から明らかなように、本発明によれば、表示された画面あるいは印刷された図面上の図形の属性情報が認識し易くなり、例えば地図上の変則的な土地の形状であっても属性情報を対応する位置に表示でき、道路や川のような広範囲に渡る土地には複数箇所に属性情報を表示が可能となり、画面や図面上の属性情報を正確に認識できることによる作業能率の向上、作業精度の向上という工業的効果がある。
【図面の簡単な説明】
【図１】本発明の構成図
【図２】本発明の実施の形態の構成図
【図３】本発明の実施の形態の画面例
【図４】土地情報データベースの構造説明図
【図５】属性表示のフローチャート
【符号の説明】
１  図形属性情報データベース
２  図形表示手段
３  図形指示手段
４  属性情報検索手段
５  属性情報表示手段
【図１】
0003610758.tif 000002
【図２】
0003610758.tif 000003
【図３】
0003610758.tif 000004
【図４】
0003610758.tif 000005
【図５】
0003610758.tif 000006